(57)【特許請求の範囲】
【請求項１】
遊技盤面に設けられている特別始動領域へのパチンコ球の通過に応じ、予め定められている複数種類の特別識別情報のいずれかを、所定の特別表示確率の下で目視可能に停止表示するための特別表示装置を設け、
通常時にはパチンコ球を取り込まない入賞不能状態を形成し、前記特別表示装置に停止表示される特別識別情報が予め定められている特別権利発生情報であるとき、遊技者にとって有利な「特別権利」を発生させ、該「特別権利」の発生に基づいて前記入賞不能状態から、パチンコ球を取り込み易い入賞可能状態を形成する可変入賞球装置を設け、
前記遊技盤面に予め設けられている普通始動領域へのパチンコ球の通過に応じ、予め定められている複数種類の普通識別情報のいずれかを、所定の普通表示確率の下で目視可能に停止表示するための普通表示装置を設け、
前記普通表示装置に停止表示される普通識別情報が、予め定められている普通権利発生情報であるときに、前記「特別権利」よりも有利さの度合いが小さい「普通権利」を発生させる普通電動役物を設け、
さらに変動条件が満足されるか否かを決定するための変動情報カウンタと、複数通りの前記特別権利発生情報の組合せのいずれかを選択するための特定カウンタと、「特別権利」を発生させるか否かを決定する大役カウンタとを備え、
前記特別始動領域へのパチンコ球の通過に基づく前記大役カウンタからの「特別権利」を発生させるカウント値の取り込みに基づいて、前記変動情報カウンタからカウント値を取り込んで変動条件が満足されるか否かを決定し、
前記「特別権利」の発生に応じ、予め定められている変動条件が満足される場合、その時点で発生している「特別権利」の消滅から少なくとも次回の「特別権利」が発生するまでの間、前記特別表示確率および普通表示確率の一方または両方の表示確率を該確率値とは異なる値の表示確率に変動させる確率変動手段を設け、
前記変動情報カウンタから取り込まれたカウント値に応じて、「特別権利」および「普通権利」の両方、または「普通権利」のみ、のいずれかの発生確率を変動させるかを選択するための抽選を行い、前記確率変動手段による表示確率の変動を行わせる抽選手段を設け、
前記特定カウンタから取り込まれたカウント値に応じた前記特別権利発生情報の組合せを前記特別表示装置に停止表示させ、前記大役カウンタから取り込まれた「特別権利」を発生させるカウント値により「特別権利」を発生させ、該「特別権利」は更新されて所定回数まで行使され得るものであり、
前記変動情報カウンタから取り込まれたカウント値に応じて決定された前記変動条件が満足されたか否かに係る決定を示す表示を前記「特別権利」の消滅間際にするとともに、前記変動条件が満足された時点で前記抽選手段による抽選を実行して「特別権利」および「普通権利」の両方、または「普通権利」のみ、のいずれかの発生確率を変動させるかを決定するようにし、かつ、
前記変動条件が満足されるか否かを、遊技者対応のキャラクタとパチンコ機対応のキャラクタとの対戦を想定した変動情報の表示態様によって前記特別表示装置に表示させ、  前記変動情報の表示態様は、前記変動情報カウンタから取り込まれるカウント値に応じて複数種類の中から決定され、
前記両キャラクタの対戦は、「特別権利」の複数の行使回数を単位として行われるとともに、「特別権利」の行使中に前記単位が複数回実行されるものであり、各対戦の勝敗結果の組合せは前記変動情報カウンタから取り込まれるカウント値に基づいて決定され、
前記単位における表示は、前記単位における最初の行使回数にて対戦するキャラクタを表示し、その後の行使回数にてキャラクタによる対戦の勝敗に至る過程を表示し、前記単位における最後の行使回数にて該キャラクタとの勝敗結果を表示することを特徴とするパチンコ機。
【発明の詳細な説明】
【技術分野】
【０００１】
本発明は、所定の入賞口への入賞に基づいて表示装置に表示される識別情報の種別に応じ、遊技者にとって有利な「権利」が発生するパチンコ機に関する。
【背景技術】
【０００２】
パチンコ機には所定の識別情報を表示する装置を遊技盤に設け、識別情報の種別に応じて、入賞確率が所定時間だけ増大する機種があり、このようなパチンコ機は、いわゆる第１種ないし第３種のいずれの機種にも採用されている。
【０００３】
この種のパチンコ機は、たとえば発射装置によって遊技盤に発射されたパチンコ球（以下、発射球）が、遊技盤面に設けられた特別始動口に入賞、または、特別始動領域を通過すると、特別ゲームが開始される。
【０００４】
特別ゲームが開始されると、特別表示装置は複数種類の特別識別情報を所定の変動表示時間だけ変動表示させ、特別表示装置はいずれかの特別識別情報を所定の停止表示時間だけ目視可能に停止表示（以下、停止表示）する。なお特別識別情報は、数字、文字、絵および記号などからなるものが主流である。
【０００５】
その特別ゲーム中、特別表示装置に停止表示された特別識別情報が、予め定められた特定のもの、または、特定の組合せである場合、遊技盤面に設けられた可変入賞球装置は、通常閉止している大入賞口を、所定時間だけ、一般的には３０秒程度または大入賞口に１０球の発射球が入賞するまで、継続的に開放する。
【０００６】
そのため発射球は可変入賞球装置の大入賞口に入賞し易くなり、発射球の入賞確率が通常時よりも所定時間だけ増大するため、遊技者にとって有利な「権利」が発生し、その「権利」の発生中、遊技者は大入賞口に発射球を入賞させることによって「権利」を行使できる。
【０００７】
このように特別表示装置に停止表示された特別識別情報、または、その組合せに基づいて発生する「権利」を、以下、「特別権利」といい、「特別権利」を発生させるために停止表示される特別識別情報、または、停止表示される特別識別情報の組合せを、以下、特別権利発生情報という。
【０００８】
一般に特別権利発生情報は、表示列数が１列であれば、特定の数字、記号または文字（たとえば「７」のいわゆるゾロ目）であり、表示列数が複数列であれば同じ特別識別情報、または、特定の文字たとえば「松」「竹」「梅」の組合せなどで構成されるものが主流である。
【０００９】
さらに「特別権利」の行使中、特定の領域たとえば大入賞口に入賞した発射球が大入賞口内の継続入賞領域（継続入賞口）を通過した場合、「特別権利」は更新され、これにより、その時点で発生している「特別権利」の終了後、さらに１回だけ大入賞口が所定時間だけ継続的に開放される。
【００１０】
この「特別権利」の更新回数は、最多でも１５回の機種が主流を占めており、「特別権利」の発生時を１回として、それも「特別権利」の更新回数として考えれば、合計１６回の「特別権利」を通算で行使できることになる。
【００１１】
なお「特別権利」の行使中、大入賞口に入賞した発射球数、「特別権利」の更新可否、「特別権利」の通算更新回数などからなり、「特別権利」の行使に伴って変動する特別権利行使情報が特別表示装置に表示される。
【００１２】
さらにまた、特別始動口とは異なる普通始動領域（普通始動口）を遊技盤に設け、この普通始動領域への発射球の通過（または入賞）に基づいて動作する普通表示装置を、特別表示装置とは別個に遊技盤に設けることにより、特別ゲームとは異なる普通ゲームを開始させる機種がある。
【００１３】
この普通ゲームは普通始動領域への発射球の通過に基づいて、所定の普通変動時間だけ複数種類の普通識別情報を変動表示させることによって開始される。上記普通変動時間の経過後、いずれかの普通識別情報が普通表示装置に所定時間停止表示される。
【００１４】
この普通表示装置に停止表示された普通識別情報が、特有の普通識別情報（以下、普通権利発生情報）である場合、いわゆる電動チューリップなどからなる普通電動役物が所定時間動作され、１度に１球だけが入賞可能な閉鎖状態から開放状態に移行される。
【００１５】
これにより普通電動役物は、閉鎖状態である場合と比較して、発射球が普通電動役物に入賞し易くなるので、遊技者にとって有利であり、そして上述した「特別権利」とは異なるところの「普通権利」が発生することになる。
【００１６】
この「普通権利」の発生・１回につき、普通電動役物は一般的に最長でも５〜６秒間程度しか開放されず、普通ゲーム中、普通表示装置に普通権利発生情報が表示されると、その表示・１回につき、「普通権利」は１回発生するだけで、上述した「特別権利」のように、「普通権利」が更新されることはない。
【００１７】
また「普通権利」を行使するには、開放状態の普通電動役物に発射球を入賞させるのであるが、「普通権利」は「特別権利」と比較すると、発生時間および更新の有無の点から鑑みて、その行使によって得られる賞品球数は絶対的に少なく、有利さの度合いが「特別権利」よりも下位であることがわかる。
【００１８】
そのため「特別権利」が発生する確率、いいかえれば特別表示装置が特別権利発生情報を停止表示させる特別表示確率は、「３００分の１」ないし「２００分の１」程度であるのに対し、「普通権利」が発生する確率、すなわち普通表示装置が普通権利発生情報を停止表示させる普通表示確率は、「５０分の１」ないし「２０分の１」と特別表示確率よりも大きく定められている。
【００１９】
このようなパチンコ機には「普通権利」および「特別権利」の一方または両方の発生確率を変動させる機種がある。
【００２０】
この種のパチンコ機では、一般的に「特別権利」が、特別権利発生情報のうちの予め定められた特別権利発生情報の特定、たとえば「７」あるいは「３」のゾロ目が停止表示されることに基づいて発生した場合、その「特別権利」消滅後、次回または次々回の「特別権利」の発生までの間、普通表示確率および特別表示確率の一方または両方が変動する。
【００２１】
たとえば普通表示確率についての変動を例として説明すれば、普通表示確率には複数種類の普通確率、たとえば相対的に上位な確率（以下、普通第１確率〜たとえば1/2)と、相対的に下位な確率（以下、普通第２確率〜たとえば1/20）とがあり、普通第１確率値は普通第２確率値のたとえば１０倍程度に定められる。
【００２２】
また特別表示確率が変動する機種には、相対的に上位な確率（以下、特別第１確率〜たとえば1/50) と、相対的に下位な確率（以下、特別第２確率〜たとえば１/300）とからなり、その場合、特別第１確率値は特別第２確率値のたとえば４〜６倍程度のものがある。
【００２３】
このような機種で遊技することにより、「普通権利」および「特別権利」の一方または両方の発生確率値は、その時点で発生した「特別権利」の行使前よりも、行使後に増大、すなわち現状よりも「さらに有利な状態」を形成する機会が遊技者に付与される。
【００２４】
この「さらに有利な状態」が「特別権利」の行使後に形成されるか否かは、特別表示装置に停止表示される特別権利発生情報の種別に依存しているので、特別権利発生情報が停止表示を完了した時点で、遊技者には認識されることになる。
【発明の開示】
【発明が解決しようとする課題】
【００２５】
このため、上述した従来のパチンコ機では、次のような問題があった。
すなわち上記「特別権利」の発生（決定）時に、その特別権利発生情報の種別が、たとえば普通第１確率の下で、実施される普通ゲームに対応する場合、遊技者は普通第２確率の下で、実施される場合よりも、増大するであろう賞品球の払い出しに対して期待感を抱く。
【００２６】
その反面、特別権利発生情報の種別が普通第２確率の下で、実施される普通ゲームに対応する場合、普通第１確率の下で、実施される普通ゲームと比較して、単位時間当たりの持球の減少数は増大する。
【００２７】
そのため普通第２確率の下で、実施される普通ゲームに対応する特別識別情報の表示に基づいて「特別権利」の発生が決定した場合、遊技者にとって有利な「特別権利」が発生するにも関わらず、その時点で発生している「特別権利」の消滅後における単位時間当たりの持球の減少数を予測し、これに起因して遊技意欲を減退させる問題が生じた。
【００２８】
本発明の課題は、「特別権利」の終了後に普通表示確率および特別表示確率の一方または両方が変動する場合であっても、その旨が「特別権利」の発生（決定）時点では認識不能なパチンコ機を提供することにある。
【課題を解決するための手段】
【００２９】
上記目的を達成するために、特許請求の範囲の請求項１に記載の発明は、遊技盤面に設けられている特別始動領域へのパチンコ球の通過に応じ、予め定められている複数種類の特別識別情報のいずれかを、所定の特別表示確率の下で目視可能に停止表示するための特別表示装置を設け、
通常時にはパチンコ球を取り込まない入賞不能状態を形成し、前記特別表示装置に停止表示される特別識別情報が予め定められている特別権利発生情報であるとき、遊技者にとって有利な「特別権利」を発生させ、該「特別権利」の発生に基づいて前記入賞不能状態から、パチンコ球を取り込み易い入賞可能状態を形成する可変入賞球装置を設け、
前記遊技盤面に予め設けられている普通始動領域へのパチンコ球の通過に応じ、予め定められている複数種類の普通識別情報のいずれかを、所定の普通表示確率の下で目視可能に停止表示するための普通表示装置を設け、
前記普通表示装置に停止表示される普通識別情報が、予め定められている普通権利発生情報であるときに、前記「特別権利」よりも有利さの度合いが小さい「普通権利」を発生させる普通電動役物を設け、
さらに変動条件が満足されるか否かを決定するための変動情報カウンタと、複数通りの前記特別権利発生情報の組合せのいずれかを選択するための特定カウンタと、「特別権利」を発生させるか否かを決定する大役カウンタとを備え、
前記特別始動領域へのパチンコ球の通過に基づく前記大役カウンタからの「特別権利」を発生させるカウント値の取り込みに基づいて、前記変動情報カウンタからカウント値を取り込んで変動条件が満足されるか否かを決定し、
前記「特別権利」の発生に応じ、予め定められている変動条件が満足される場合、その時点で発生している「特別権利」の消滅から少なくとも次回の「特別権利」が発生するまでの間、前記特別表示確率および普通表示確率の一方または両方の表示確率を該確率値とは異なる値の表示確率に変動させる確率変動手段を設け、
前記変動情報カウンタから取り込まれたカウント値に応じて、「特別権利」および「普通権利」の両方、または「普通権利」のみ、のいずれかの発生確率を変動させるかを選択するための抽選を行い、前記確率変動手段による表示確率の変動を行わせる抽選手段を設け、
前記特定カウンタから取り込まれたカウント値に応じた前記特別権利発生情報の組合せを前記特別表示装置に停止表示させ、前記大役カウンタから取り込まれた「特別権利」を                                                                            
発生させるカウント値により「特別権利」を発生させ、該「特別権利」は更新されて所定回数まで行使され得るものであり、
前記変動情報カウンタから取り込まれたカウント値に応じて決定された前記変動条件が満足されたか否かに係る決定を示す表示を前記「特別権利」の消滅間際にするとともに、前記変動条件が満足された時点で前記抽選手段による抽選を実行して「特別権利」および「普通権利」の両方、または「普通権利」のみ、のいずれかの発生確率を変動させるかを決定するようにし、かつ、
前記変動条件が満足されるか否かを、遊技者対応のキャラクタとパチンコ機対応のキャラクタとの対戦を想定した変動情報の表示態様によって前記特別表示装置に表示させ、  前記変動情報の表示態様は、前記変動情報カウンタから取り込まれるカウント値に応じて複数種類の中から決定され、
前記両キャラクタの対戦は、「特別権利」の複数の行使回数を単位として行われるとともに、「特別権利」の行使中に前記単位が複数回実行されるものであり、各対戦の勝敗結果の組合せは前記変動情報カウンタから取り込まれるカウント値に基づいて決定され、
前記単位における表示は、前記単位における最初の行使回数にて対戦するキャラクタを表示し、その後の行使回数にてキャラクタによる対戦の勝敗に至る過程を表示し、前記単位における最後の行使回数にて該キャラクタとの勝敗結果を表示することを特徴とする。
【発明の効果】
【００３０】
請求項１に記載の発明は変動情報カウンタと大役カウンタとを備えて変動条件が満足されるか否かを決定し、変動条件が満足される場合、確率変動手段は確率を変動させるが、変動条件が満足されるか否かを表示するための変動情報は「特別権利」の消滅間際に表示するように構成した。
よって、「特別権利」の発生確率上昇時に得られる賞品球数増大に対する期待感を、「特別権利」の行使とは別個に抱かせることになり、遊技意欲を向上させる。
また請求項１に記載の発明によれば、変動条件が満足されるか否かを、遊技者対応のキャラクタとパチンコ機対応のキャラクタとの複数回の対戦を想定した変動情報の表示態様によって表示できる。
【発明を実施するための最良の形態】
【００３１】
以下に、本発明の一実施の形態を図面に基づいて詳細に説明する。図１は本発明に係るパチンコ機の要部構成を表しており、図１に破線で示す特別表示装置１は、ＬＣＤカラーパネルからなる特別表示器２を備え、図２および図３に示すパチンコ機３の遊技盤４面に配設されている。
【００３２】
特別表示器２による各種表示は、図１に示す特別表示手段としての特別表示回路５によって制御され、特別表示器２に対する表示制御のために、特別表示回路５には図示を省略したドライブ回路が内蔵されている。
また特別表示器２は、特別ゲーム時、特別ゲームとは異なる普通ゲーム時、特別ゲームおよび普通ゲームが実施されていない通常のパチンコ遊技状態において、各種情報を遊技者に対して目視可能に表示するためのもので、遊技盤４面の中央に設けられている天入賞口６の直下に配置されている。
【００３３】
特別表示器２は通常のパチンコ遊技状態において、特別識別情報とは異なるデモンストレーション (以下、デモという) 画面および各種メッセージを動画または静止画で表示する。
【００３４】
特別識別情報は、本実施の形態において図４ないし図６に示すように数字および特定の絵柄、すなわち龍、宝石、宝石箱、剣および鍵などを意匠化した合計２０種類からなり、特別表示器２の表示面は左列、中列および右列の３分の１列ずつに等分割され、各列毎に特別識別情報が特別表示回路５によって表示される。
【００３５】
特別表示器２の左列は図４の特別識別情報に対応し、中列は図５の特別識別情報に対応し、さらに右列は図６の特別識別情報に対応し、これらのいずれかが特別識別情報として、それぞれの列に停止表示される（図７ないし図９参照）。
【００３６】
特別表示装置１の下方・中央には特別始動領域としての特別始動口７が、また特別始動口７の直上には特別始動口８が特別始動領域として単体で設けられ、さらに特別始動口７の両側にも特別始動領域として一対の特別始動口８，８が配設されている。
【００３７】
また特別始動口７は周知の技術ではあるが、いわゆる電動チューリップから構成されており、詳細は後述するが、従来同様、普通電動役物としての機能も兼用している。
【００３８】
一対の特別始動口８，８は、ともに通常の入賞口と同様な構成を備えている。さらに特別表示装置１の両側には一対の普通始動領域９，９が配設されている（図３参照）。
【００３９】
特別始動口７，８は、いずれにも図１に示す特別始動スイッチ10が設けられており、これら特別始動スイッチ10には特別始動検出回路11が接続されている。
【００４０】
特別始動検出回路11は、特別始動スイッチ10のいずれかが発射球の入賞を検出したとき、その検出信号をインタフェイス回路12を介してＭＰＵ13に入力し、ＭＰＵ13は、詳細を後述する特別ゲームを始動させるための制御信号を発生させる。
【００４１】
特別表示装置１にはインタフェイス回路14が設けられ、ＭＰＵ13と特別表示回路５とはインタフェイス回路14を介して互いに交信可能に接続されているので、ＭＰＵ13から発生される制御信号を検出することができる。
【００４２】
これにより特別始動口７，８への入賞に基づいて、特別表示装置１は特別表示回路５によって特別ゲームを始動させることができる。なお特別始動口７，８のいずれかに入賞した発射球を特別始動入賞球という。
【００４３】
本実施の形態における特別ゲームは、いわゆる第１種パチンコ遊技で、いずれかの特別始動口７，８への入賞に基づいて特別ゲームが開始されると、特別表示回路５は複数種類の特別識別情報を図３中、上方から下方にスクロールする動画を特別表示器２に停止表示する。
【００４４】
上記動画が予め定められた変動表示時間だけ継続されると、変動表示は停止され、複数種類の特別識別情報の中からいずれかの特別識別情報が特別表示回路５により、所定の停止表示時間だけ、特別表示器２の左中右のいずれかの列に目視可能に停止表示（以下、停止表示）される。
【００４５】
なおＭＰＵ13と特別表示回路５とはインタフェイス回路14を介して交信可能に接続されているので、ＭＰＵ13は特別表示器２に停止表示される特別識別情報の種別を識別することができる。
【００４６】
そして特別識別情報が特別表示器２に目視可能に表示され、ＭＰＵ13が特別識別情報の種別を識別し、予め定められた特定の特別識別情報であると判定した場合、ＭＰＵ13は「特別権利」を発生させる。
【００４７】
上述した「特別権利」を発生させる特別識別情報は、以下、「特別権利発生情報」といい、本実施の形態では左中右の各列とも、すべて同一な特別識別情報が特別表示器２によって停止表示された場合を「特別権利発生情報」に定める。
【００４８】
「特別権利発生情報」は、たとえば図８に示す例では、特別表示器２中、左中右の各列に特別識別情報「３」が右上りの対角線上に停止表示され、図９の例では左中右のすべての列に特別識別情報「龍」が停止表示され、「特別権利発生情報」を構成している場合を示している。
【００４９】
普通始動領域９，９には図１に示すように普通始動スイッチ15が設けられ、普通始動スイッチ15には普通始動検出回路16が接続されている。なお特別始動スイッチ10および普通始動スイッチ15はそれぞれ周知の近接スイッチからなる。
【００５０】
普通始動検出回路16は、普通始動スイッチ15のいずれかが、発射球の入賞を検出したとき、その検出信号をインタフェイス回路12を介してＭＰＵ13に入力し、ＭＰＵ13は、詳細を後述する普通ゲームを始動させるための制御信号を発生させ、これを図１に示す普通表示装置17に入力する。
【００５１】
つづいて普通表示装置17は、図３に示す天入賞口６の直下に配置された普通表示器18を備え、普通ゲームを開始させる。この普通表示器18は１桁の「７セグメント」ＬＥＤ（またはＬＣＤ）表示素子から構成されている。
【００５２】
上述した普通表示装置17は、図１に示すように、普通表示回路19と確率制御回路20と変動条件決定回路21とを備え、確率制御回路20および変動条件決定回路21は普通識別情報の種別を決定するために各々無限カウンタを設けている。
【００５３】
普通表示回路19は普通識別情報を普通表示器18に表示動作させるためにドライバを備え、普通ゲームに際し普通識別情報を所定の変動表示時間変動表示させたのち、両回路20，21の無限カウンタの一方によって決定されたいずれかの普通識別情報を所定の普通表示確率の下で普通表示器18に停止表示させる。
【００５４】
また確率制御回路20および変動条件決定回路21と、ＭＰＵ13とは互いに交信可能に接続されており、ＭＰＵ13は、普通表示回路19によって普通表示器18に停止表示される普通識別情報の種別を、両回路20，21の無限カウンタの一方から取り込んだいずれかのカウント値に基づいて識別することができる。
【００５５】
本実施の形態における普通ゲームは、その開始直後、普通表示装置17が普通始動領域９への発射球の通過を検出すると、普通表示回路19は普通表示器16に普通識別情報として「０〜９」の数字およびアルファベットのいずれかを発光表示し、その時点において表示されているものとは異なるほかの普通識別情報を所定の表示周期で順次発光表示する。
【００５６】
これを普通識別情報の変動表示といい、上述した普通識別情報の表示周期は、本実施の形態では目視確認が不能な程度に短く定められている。しかしながら、これに限定されるものではなく、普通識別情報を普通表示器16に停止表示または普通表示器16上で変更させる周期は目視可能な時間に定めてもよい。
【００５７】
そして普通識別情報の変動表示が予め定められた変動表示時間（たとえば１分間）だけ継続されると、普通識別情報の変動表示は停止される。
【００５８】
つづいて普通表示回路19は普通表示器18に、両回路20，21の無限カウンタの一方から取り込んだカウント値に基づいて、そのカウント値に対応する普通識別情報を所定の停止表示時間（たとえば２秒間）だけ停止表示する。
【００５９】
本実施の形態において、確率制御回路20の無限カウンタは「０」ないし「１９」の範囲で、また変動条件決定回路21の無限カウンタは「０」ないし「９９」の範囲でループしながら、各々４msec周期で「１」ずつカウントアップする。
【００６０】
そして確率制御回路20の無限カウンタからＭＰＵ13によって取り込まれたカウント値が「３」の場合、普通表示器16に普通権利発生情報が停止表示され、その普通表示確率、すなわち「普通権利」の発生確率は1/20である。
【００６１】
これに対して変動条件決定回路21の無限カウンタから取り込んだカウント値が偶数（「０」を含む）である場合、普通権利発生情報が停止表示され、その表示確率すなわち「普通権利」の発生確率は1/２に設定される。
【００６２】
以上から、本実施の形態における普通表示確率の値、いいかえれば普通表示器18に停止表示される普通識別情報が普通権利発生情報である確率値は、1/20および1/２のいずれかであることがわかる。
【００６３】
普通表示確率のうち、その値が上位である確率（＝1/2)は以下、普通第１確率といい、下位である確率（＝1/20＜1/２＝普通第１確率）は以下、普通第２確率といい、これらはＭＰＵ13が確率制御回路20および変動条件決定回路21のいずれかを選択することに基づいて一方に設定される。
【００６４】
なお本実施の形態の普通権利発生情報は「７」で、他の普通識別情報は「０」ないし「６」と、「８」および「９」と、アルファベットとで構成されている。
【００６５】
そして普通第１確率に基づいて普通識別情報が表示される場合、ＭＰＵ13はインタフェイス回路12および表示器駆動回路22を介し、その旨をランプからなる高確率表示器23によって発光表示する（図１ないし図３参照）。
【００６６】
なお本実施の形態では、後述する変動条件が満足されない場合と、初期状態とにおいて、ＭＰＵ13は、確率制御回路20と後述する大役第２カウンタとからカウント値を取り込む。
【００６７】
そして後述する変動条件が満足されると、ＭＰＵ13は変動条件決定回路21からカウント値を取り込むことにより、普通表示回路19を介し、普通第１確率に基づいて普通識別情報を表示する。
【００６８】
詳細を後述するが、変動条件が満足されるか否かは「特別権利」の発生を決定した直後、遊技者にとっては特別表示装置１に「特別権利発生情報」が停止表示されるとほぼ同時に、図示を省略した変動情報カウンタから変動条件決定回路21によって取り込まれるカウント値に応じて決定され、その変動情報カウンタはＭＰＵ13に備えられてた複数系統の無限カウンタ（図示省略）のひとつである。
【００６９】
これら無限カウンタは、ＭＰＵ13によってソフトウエアで構成系統が備えられ、特別識別情報の種別の決定と、変動条件が満足されるか否かとの決定のために使用される。以下に、ＭＰＵ13の無限カウンタの構成を説明する。
【００７０】
まず「特別権利」を発生させるか否かを決定する大役第１カウンタおよび大役第２カウンタ、「特別権利発生情報」の種別を決定する特定カウンタ、「特別権利発生情報」とは異なる特別識別情報の種別を決定する特別カウンタ、そして、変動条件が満足されるか否かと、後述する変動情報の種別とを決定する変動情報カウンタから構成されている。
【００７１】
上記変動情報は「特別権利」の発生中に特別権利行使情報とともに、情報表示回路24によって特別表示器２に目視可能に表示される。
【００７２】
本実施の形態における特別権利行使情報は「特別権利」の行使時における大入賞口29への入賞球数、「特別権利」の通算行使回数（以下、行使回数という）、「特別権利」の発生可能な残時間、「特別権利」の更新可否から構成されている。
【００７３】
すなわち特別権利行使情報は、「特別権利」の行使中に開放中の大入賞口29にパチンコ球を入賞させることに伴って変化するもので、情報表示回路24によって特別表示器２に変動情報とともに目視可能に表示される。
【００７４】
つぎに上述したＭＰＵ13の各無限カウンタについて説明する。まず大役第１カウンタおよび大役第２カウンタはＭＰＵ13が所定周期、本実施の形態では４msecで「１」ずつカウントアップさせ、大役第１カウンタは「０」ないし「４９」の範囲で、また大役第２カウンタは「０」ないし「２５５」の範囲でループする。
【００７５】
そしてＭＰＵ13は特別始動スイッチ10が特別始動入賞球を検出したとき、上記大役第１カウンタおよび大役第２カウンタのいずれか一方のみから、その検出時点のカウント値を取り込み、いずれのカウンタでも、取り込まれたカウント値が「７」であるとき、「特別権利」がＭＰＵ13によって発生される。
【００７６】
これにより本実施の形態において、特別権利発生情報が特別表示器２に停止表示される確率は、カウント値がＭＰＵ13により、大役第１カウンタから取り込まれた場合には「1/50」に定められ、大役第２カウンタから取り込まれた場合には「１/256」に定められることがわかる。
【００７７】
なお特別権利発生情報が上記特別表示器２に停止表示され、「特別権利」が発生する確率は、ＭＰＵ13が大役第１カウンタからカウント値を取り込む場合を、特別第１確率といい、大役第２カウンタからカウント値を取り込む場合を、特別第２確率ということにする。
【００７８】
またＭＰＵ13が大役第１カウンタおよび大役第２カウンタのいずれからカウンタを取り込むかは、変動情報カウンタから取り込まれるカウント値によって定められる。
【００７９】
つぎに特定カウンタは、図４ないし図６に示された特別識別情報のすべての組合せ、すなわち２０の３乗（＝８０００）通りの「特別権利発生情報」の組合せのいずれかを選択するためのものである。
【００８０】
そのため本実施の形態においてＭＰＵ13は「０」ないし「１９」の範囲でループしながら、大役第１カウンタのカウント値が１順する度に、特定カウンタのカウント値を「１」ずつカウントアップすることで、「特別権利発生情報」の組合せを「２０種類」形成している。
【００８１】
つぎに特別カウンタは、図４ないし図６に示す特別識別情報の各列の組合せのうち、上述したように「特別権利発生情報」の「２０種類」の組合せを除いた組合せ「７９８０種類」に対応させるためのものである。
【００８２】
そしてＭＰＵ13は大役第１カウンタのカウント値を１順させる度に、「０」ないし「７９７９」の範囲でループしながら、特別カウンタを「１」ずつカウントアップしている。
【００８３】
つぎに変動情報カウンタは、ＭＰＵ13が大役第１カウンタのカウント値を１順させる度に、「０」ないし「７９」の範囲でループしながら、「１」ずつカウントアップする。本実施の形態ではＭＰＵ13と変動条件決定回路21とは確率変動手段を構成する。
【００８４】
変動情報カウンタは本実施の形態において、ＭＰＵ13が大役第１カウンタまたは大役第２カウンタから「７」を取り込んだときに、変動条件決定回路21がＭＰＵ13の変動情報カウンタからカウント値を取り込み、そのカウント値に応じて変動条件が満足されるか否かが決定される。
【００８５】
そして変動条件決定回路21によって変動情報カウンタから取り込まれたカウント値が、「０」ないし「３９」である場合、変動条件が満足されるものと定め、その場合、情報表示回路24は「特別権利」の発生中、変動情報を特別権利行使情報とともに、特別表示器２に目視可能に表示する。
【００８６】
このようにして変動条件が満足されると、その時点で発生している「特別権利」の消滅から、少なくとも次回の「特別権利」が発生するまでの間、ＭＰＵ13が大役第１カウンタからカウント値を取り込むことにより、特別権利発生情報を特別第１確率(=1/50>1/256) に基づいて停止表示するので、特別権利発生情報を特別第２確率に基づいて停止表示する場合と比較して、「普通権利」よりも上位の「特別権利」は発生し易く、遊技者にとって有利な状態（以下、有利な状態という）が形成される。
【００８７】
一方、「普通権利」についていえば、変動条件が満足されると、ＭＰＵ13は変動条件決定回路21の無限カウンタからカウント値を取り込むことにより、普通権利発生情報を普通第１確率(=1/2>1/20) に基づいて停止表示するので、普通権利発生情報を普通第２確率に基づいて停止表示する場合よりも、「普通権利」は発生し易く、パチンコ遊技中の単位時間当たりにおける持球数の減少の度合いが抑止される。
【００８８】
つぎに変動情報カウンタから変動条件決定回路21によって取り込まれたカウント値が、「４０」ないし「７９」の場合、変動条件は満足されないものと定め、その旨に相当する変動情報が情報表示回路24により、特別権利行使情報とともに特別表示器２に目視可能に表示される（後述）。
【００８９】
そして変動条件が満足されないと、ＭＰＵ13は、その時点で発生中の「特別権利」の消滅から、少なくとも次回「特別権利」が発生するまで、大役第２カウンタからカウント値を取り込むことで、特別権利発生情報を特別第２確率(=1/256<1/50) に基づいて停止表示するので、特別第１確率に基づいて特別権利発生情報を停止表示する場合と比較して、「特別権利」は発生しにくい。
【００９０】
一方、「普通権利」についていえば、変動条件が満足されない場合、ＭＰＵ13は確率制御回路20の無限カウンタからカウント値を取り込むことにより、普通識別情報を普通第２確率(=1/20<1/2) に基づいて停止表示するので、普通第１確率に基づいて普通識別情報を停止表示する場合よりも、「普通権利」が発生しにくく、そのためパチンコ遊技中の単位時間当たりにおける持球数の減少の度合いも多くなる。
【００９１】
本実施の形態の変動情報は図10ないし図36のように、２種類の互いに異なるキャラクタＡ，Ｂの対戦を想定した動画および静止画の組合せからなり、キャラクタＡ，Ｂの一方Ａを遊技者、他方Ｂをパチンコ機３にそれぞれ対応させている。
【００９２】
そして変動情報の表示態様は、変動情報カウンタから取り込まれるカウント値「０」ないし「７９」に応じて決定される。
【００９３】
さらに両キャラクタＡ，Ｂの対戦数は、本実施の形態においては「特別権利」発生中、合計で３回に定められ、各回のキャラクタＡ，Ｂの対戦に基づく勝敗の組合せが、変動条件決定回路21によって変動情報カウンタから取り込まれるカウント値に基づいて決定される（後述）。
【００９４】
つぎに変動情報の表示例を以下に説明する。本実施の形態において、情報表示回路24は第１回目の対戦については、「特別権利」の行使回数が第１回目のとき、図10に示すように対戦する１対のキャラクタを特別表示器２に停止表示する。
【００９５】
また行使回数が第２ないし第４回目のとき、図11と、図12または図13に示すように、行使回数・第１回目で表示された１対のキャラクタによる対戦の表示内容、すなわち勝敗に至る表示過程を特別表示器２に停止表示し、その勝敗結果を行使回数・第５回目で特別表示器２に停止表示する（図14または図15参照）。
【００９６】
以下同様、情報表示回路24は第２回目の対戦についてを、行使回数が、第６回目のときに対戦する１対のキャラクタを表示し、その対戦内容を第７ないし第９回目のときに停止表示し、さらに行使回数・第１０回目ときに勝敗結果を特別表示器２に停止表示する（図16ないし図21参照）。
【００９７】
そして第３回目の対戦については、情報表示回路24が、行使回数・第１１回目のとき、対戦する１対のキャラクタを表示し、その対戦内容を行使回数・第１２ないし第１４回目のときに停止表示し、さらに行使回数・第１５回目ときに勝敗結果を特別表示器２に停止表示する（図22および図27参照）。
【００９８】
上述した各対戦の勝敗結果は、キャラクタＡ，Ｂのいずれか一方が他方に対して勝利または敗北する旨を連想させる動画によって表現され、行使回数・第１６回目のとき、情報表示回路24が第１ないし第３回目の各対戦結果のすべてを静止画により、特別表示器２に目視可能に同時表示する（図28参照）。
【００９９】
なお本実施の形態において上記勝敗結果には引き分けがないものとし、そのため本実施の形態における上記勝敗を各キャラクタＡ，Ｂについて考えると、その組合せは「２の３乗（＝８）通り」になる。
【０１００】
その組合せの内訳は、キャラクタＡ，Ｂのいずれか一方が他方に対して全勝または全敗する場合が２種類、同１勝２敗する場合が３種類、同２勝１敗する場合が３種類の合計８種類になる。
【０１０１】
これらはＭＰＵ13の変動情報カウンタのカウント値に対応しており、本実施の形態ではそのカウント値が「０」ないし「９」である場合にキャラクタＡの全勝（キャラクタＢの全敗）、同「１０」ないし「３９」である場合にキャラクタＡの２勝１敗（キャラクタＢの１勝２敗）に定められている。
【０１０２】
そして「特別権利」が、ＭＰＵ13による大役第１カウンタまたは大役第２カウンタからのカウント値「７」の取り込みと、変動条件決定回路21による変動情報カウンタからのカウント値「０」ないし「３９」のいずれかの取り込みとに基づいて発生した場合、情報表示回路24は、変動条件が満足された旨を示す変動情報を特別権利行使情報とともに、特別表示器２に目視可能に表示する。
【０１０３】
他方、「特別権利」が、ＭＰＵ13による大役第１カウンタまたは大役第２カウンタからのカウント値「７」の取り込みと、変動条件決定回路21による変動情報カウンタからのカウント値「４０」ないし「７９」のいずれかの取り込みとに基づいて発生した場合、情報表示回路24は、変動条件が満足されない旨を示す変動情報を特別権利行使情報とともに、特別表示器２に目視可能に表示する（図35および図36参照）。
【０１０４】
そして「特別権利」が発生したときに、変動条件が満足されず、変動情報カウンタから取り込まれたカウント値が「４０」ないし「４９」である場合、キャラクタＡの全敗（キャラクタＢの全勝）、同「５０」ないし「７９」である場合にキャラクタＡの１勝２敗（キャラクタＢの２勝１敗）が決定される。
【０１０５】
本実施の形態において、変動情報は行使回数・第５回目、第１０回目および第１５回目の３回に分割して、「特別権利」の行使中、所定周期で特別権利行使情報と交互に行使回数の更新直前まで、漸次、特別表示器２に停止表示され、キャラクタＡがキャラクタＢに対し全勝または２勝すると、その結果は行使回数・第１６回目以降に停止表示され、変動条件が満足された旨を表現する。
【０１０６】
なおキャラクタＡがキャラクタＢに対して全敗または２敗した場合、その結果は行使回数・第１６回目に停止表示され、変動情報は、変動条件が満足されない旨を表現する。なお図28は、キャラクタＡがキャラクタＢに対して２敗した例を示している。
【０１０７】
また本実施の形態では「特別権利」が、ＭＰＵ13による大役第１カウンタまたは大役第２カウンタからのカウント値「７」の取り込みと、変動条件決定回路21による変動情報カウンタからのカウント値「０」ないし「９」のいずれかの取り込みとに基づいて発生した場合、現「特別権利」を含まずに、合計２回の「特別権利」の行使が終了するまで、変動条件決定回路21によって普通権利発生情報の種別を決定する。
【０１０８】
すなわち現状の「特別権利」の行使が終了したのち、次回発生する「特別権利」の行使が終了し、さらにそのつぎに発生する「特別権利」の行使が終了するまで、変動条件決定回路21によって普通権利発生情報の種別が決定される。
【０１０９】
これにより遊技者は普通第１確率(=1/2)の下で普通ゲームを遊技できるので、普通第２確率(=1/20) の下での普通ゲームと比較して、「普通権利」が発生する確率は１０倍になり、合計２回の「特別権利」の行使終了する間、普通第２確率の下での普通ゲームと比較して有利な状態が形成される。
【０１１０】
さらに本実施の形態で上述した有利な状態が形成される旨は、その時点で発生している「特別権利」の行使終了後、通常のパチンコ遊技状態に移行する以前、図29ないし図31に示すような態様で特別表示器２に目視可能に表示される。
【０１１１】
また「特別権利」が、ＭＰＵ13による大役第１カウンタまたは大役第２カウンタからのカウント値「７」の取り込みと、変動条件決定回路21による変動情報カウンタからのカウント値「１０」ないし「３９」のいずれかの取り込みとに基づいて発生した場合、この「特別権利」の行使終了後、次回発生する「特別権利」の行使が終了するまで、すなわち１回だけ変動条件決定回路21によって普通権利発生情報の種別を決定する。
【０１１２】
これにより遊技者は普通第１確率の下で普通ゲームを遊技できるので、普通第２確率の下での普通ゲームと比較して、有利な状態が形成される。
【０１１３】
なお本実施の形態において上述した有利な状態が形成される旨は、その時点で発生している「特別権利」の行使終了後、通常のパチンコ遊技状態に移行する以前、図32ないし図34に示すような態様で特別表示器２に目視可能に表示される。
【０１１４】
この図32ないし図34に示す表示態様は、上述した合計２回の「特別権利」の行使終了するまでの間、普通第１確率の下で普通ゲームが実施される場合の、第１回目の「特別権利」の行使終了後にあっても、同様に停止表示される。
【０１１５】
なお変動条件決定回路21は、特別表示装置１に設けられている情報表示回路24に接続されており、普通第１確率が選択されている場合、その旨と、普通第１確率が選択されるまでの「特別権利」の行使終了回数に相当する情報とを表す変動条件信号が変動条件決定回路21から情報表示回路24に入力される。
【０１１６】
さらに本実施の形態では上述した「特別権利」の行使終了回数は、上述している行使回数ではなく、「特別権利」が継続されても、それは加算しないものとし、その時点で発生している「特別権利」が一旦消滅して、通常のパチンコ遊技状態に移行し、新たな特別ゲームの開始に伴って新たな「特別権利」が発生した場合を「特別権利」の行使終了回数として加算するものと定める。
【０１１７】
また情報表示回路24は、上記大役第１カウンタまたは大役第２カウンタからのカウント値が「７」、かつ、変動情報カウンタからからのカウント値が「１０」ないし「３９」のいずれかの場合、キャラクタＢに対するキャラクタＡの勝敗は上述したように２勝１敗であり、その組合せは合計で３種類ある。
【０１１８】
これは第１ないし第３回目の対戦結果において、キャラクタＡがいずれかで敗北することであり、本実施の形態では変動情報カウンタからのカウント値が、「奇数」かつ「３の倍数でない」とき、第１回目の対戦で敗北し、以下、カウント値が「偶数」であるとき、第２回目の対戦で敗北し、カウント値が「３の倍数である」とき、第３回目の対戦で敗北することに定める（図28参照）。
【０１１９】
なお本実施の形態ではＭＰＵ13によって変動情報カウンタから取り込まれたカウント値が、「偶数」かつ「３の倍数である」ときには、第３回目の対戦で敗北することに定める。
【０１２０】
さらには「特別権利」が、ＭＰＵ13による大役第１カウンタまたは大役第２カウンタからのカウント値「７」の取り込みと、変動情報カウンタからのカウント値「５０」ないし「７９」のいずれかの取り込みとに基づいて発生した場合、キャラクタＢに対するキャラクタＡの勝敗は上述したように１勝２敗で、その組合せは合計で３種類になる。
【０１２１】
そして変動情報カウンタからのカウント値「５０」ないし「７９」が、「奇数」かつ「３の倍数でない」とき、第１回目の対戦で勝利し、以下、カウント値が「偶数」であるとき、第２回目の対戦で勝利し、またカウント値が「３の倍数である」とき、第３回目の対戦で勝利することに定める。
【０１２２】
なお本実施の形態ではＭＰＵ13によって大役第１カウンタまたは大役第２カウンタから取り込まれたカウント値が、「偶数」かつ「３の倍数である」ときには、第３回目の対戦で敗北することに定める。
【０１２３】
これらの勝敗結果については、行使回数・第１６回目で、情報表示回路24がキャラクタＡ，Ｂを「×（ばつ）印」とともに特別表示器２に目視可能に▲表示することで、図28に示すように表現される。
【０１２４】
いいかえれば「×印」が特別表示器２に表示されていないキャラクタＡ，Ｂは、勝利していることを表現しているのである。なお全勝または全敗については、勝敗の組合せが１種類なので、行使回数・第１６回目において勝敗の表示態様に係る問題は発生しない。
【０１２５】
また本実施の形態では、変動条件決定回路21は、特別始動スイッチ10が特別始動入賞球を検出するタイミングに基づいて、変動情報カウンタからカウント値を取り込んでいるが、これに限定されるものではない。
【０１２６】
たとえば「特別権利」の発生中、ＭＰＵ13が継続スイッチ30によって継続検出回路31を介し、あるいはカウントスイッチ32によって入賞球数検出回路33を介し、可変入賞球装置25への入賞球（以下、大役入賞球という）を最初に検出した時点で、変動条件決定回路21が変動情報カウンタからカウント値を取り込んでもよい。
【０１２７】
そして「特別権利」の発生中に大役入賞球が継続スイッチ30で検出されないとき、情報表示回路24はキャラクタＡがキャラクタＢに対して全敗した旨を表示するところの変動情報（図28参照）を特別表示器２に停止表示する。
【０１２８】
つづいて「特別権利」の消滅後、通常のパチンコ遊技に復帰し、この状態から普通始動領域９，９への発射球の通過に基づいて普通ゲームが実施されると、確率制御回路20は普通第２確率で普通識別情報を普通表示器18に停止表示するのである。
【０１２９】
なお本実施の形態では大役入賞球数を特別表示器２に停止表示するほか、図３中、開閉板28の下方に設けた入賞球数表示器34，35によっても発光表示され、入賞球数表示器34は１０個のＬＥＤからなり、入賞球数表示器35はいわゆる７セグメントＬＥＤからなり、これら表示器34，35はＭＰＵ13により、表示器駆動回路22を介して周知のように発光制御される。
【０１３０】
つぎに「特別権利」の発生中における特別権利行使情報の表示についてを以下に概略のみ説明する。まず「特別権利」が発生すると、ＭＰＵ13が「特別権利」の発生準備として、パチンコ機３を構成する各部に対して初期設定を施す。
【０１３１】
さらに特別表示回路５は、「特別権利」発生の旨と、行使回数・第１回目である旨とを特別権利行使情報として特別表示装置２に目視可能に表示し、また「特別権利」の行使中、カウントスイッチ32が大役入賞球を検出すると、ＭＰＵ13によってカウントされる大役入賞球数は、特別表示器２および入賞球数表示器34，35に目視可能に表示される。
【０１３２】
そして「特別権利」の行使中、継続スイッチ30が大役入賞球を検出した場合、ＭＰＵ13は継続モードをセットすると同時に、「特別権利」が継続される旨、いわゆる「Ｖ入賞」に相当する表示を、特別権利行使情報として動画または静止画の態様で特別表示器２に目視可能に表示する。
【０１３３】
この「特別権利」の発生から所定時間、本実施の形態では３０秒間経過、または、大役入賞球が所定数、本実施の形態では１０球が入賞すると、ＭＰＵ13は大入賞口ソレノイド27をソレノイド駆動回路26で解磁して開閉板28を一旦閉鎖させる。
【０１３４】
そしてＭＰＵ13は大役入賞球数に関わらず、「特別権利」をふたたび１回のみ発生させると同時に、すでにセット済の上記継続モードを解除する。
【０１３５】
この継続モードは、継続スイッチ30が大役入賞球を検出しないときにはセットされず、また大役状態が予め定められた回数（本実施の形態では初回を含んで１６回）連続して選択されたときにも、ふたたびセットされることはない。
【０１３６】
またＭＰＵ13は、「特別権利」を発生させる時間の計測用に図示を省略した大役タイマを備え、大役タイマに「特別権利」の発生開始以前、初期値として３０秒間をセットし、「特別権利」の発生と同時に大役タイマをスタートさせる。
【０１３７】
本実施の形態において、通常のパチンコ遊技状態中で、非ゲーム状態が継続して所定時間（たとえば３分間）経過すると、特別表示回路５は、いわゆるデモ表示などからなる一般情報の表示内容を適宜入れ換えることにより、周知のスクリーンセイバ機能をもたせ、特別表示器２の焼き付きを抑止している。
【０１３８】
この非ゲーム時に始動入賞球がＭＰＵ13を介して特別表示回路５により検出されると、特別表示回路５は一般情報を表示していた特別表示器２上に、特別識別情報を変動表示させることで、特別表示装置１によるゲームを開始する。
【０１３９】
なお特別識別情報の変動表示は特別表示器２の図３中、上方から下方にスクロールさせる動画からなり、特別表示回路５は複数種類の特別識別情報を図４ないし図６の各キャラクタの外位置に付された数字の小さい順に、所定周期で漸次表示させ、これを各列毎に定める変動表示時間継続させることで構成している。
【０１４０】
そして変動表示の開始時点から上記変動表示時間が経過すると、特別表示回路５はいずれかの特別識別情報を特別表示器２の中央位置に所定の停止表示時間だけ停止表示させる。
【０１４１】
特別識別情報、一般情報、変動情報および特別権利行使情報を、特別表示器２に停止表示するために、各情報のキャラクタデータが図１に示すキャラクタジェネレータＲＯＭ（以下、C-G.ＲＯＭと記す）36に格納され、このC-G.ＲＯＭ36は特別表示回路５に接続されている。
【０１４２】
特別表示回路５はＭＰＵ13から入力される命令（制御信号）に基づいて特別表示器２への表示または走査を、C-G.ＲＯＭ36に格納されている各データに基づいて制御し、その際、特別表示器２に停止表示するための演算値および各種データは、画像ＲＡＭ37に一時的に格納される。
【０１４３】
ＭＰＵ13はＲＯＭ38に格納されたプログラムを読み込んで適宜、演算し、各種データ、命令および演算値などをＲＡＭ39に一時的に格納する。
【０１４４】
またパチンコ機３全体に対しては電源回路40によって電力供給が供給され、電源回路40の起動時、電源リセット回路41がリセット回路42を通してＭＰＵ13およびパチンコ機３全体にリセット信号を入力する。
【０１４５】
なおＭＰＵ13にはクロック回路43が接続されており、分周回路44によって所望仕様のクロックパルス信号がＭＰＵ13に入力される。
【０１４６】
図３に戻り、遊技盤４の下方にはアウト孔45が設けられ、アウト孔45と特別表示装置１との間には可変入賞球装置25が配置されている。
【０１４７】
またパチンコ機３の前側下方には、上皿46が設けられ、パチンコ球が上皿46から投入されると、図示を省略した投入球供給装置から打球装置（図示省略）に供給され、上皿46から溢れた賞品球は下皿47に払出される（図２参照）。
【０１４８】
また大入賞口29の両側には通常入賞口48が設けられ、パチンコ球はハンドル装置（図２参照）49を操作することにより、遊技盤４に向かって打ち出される。
【０１４９】
その発射球が特別始動口７，８に入賞すると、特別ゲームが開始され、その旨はＭＰＵ13により、図１のスピーカ50から電子音発生回路51により効果音で報知されると同時に、表示器駆動回路22を介して特別図柄変動中表示器52によって発光表示される。
【０１５０】
また特別ゲーム中、さらなる発射球が特別始動口７，８に入賞すると、表示器駆動回路22は、最多で４球分迄、特別図柄始動記憶表示器53に発光表示する（図１および図３参照）。
【０１５１】
そして「特別権利」が発生した場合、その旨はＭＰＵ13により、図１に示すスピーカ50から電子音発生回路51によって効果音で報知され、「特別権利」が発生している間、表示器駆動回路22はランプからなる大当たり表示器56を発光させる（図１および図３参照）。
【０１５２】
他方、発射球が普通始動領域９を通過すると、普通ゲームが開始され、その旨はＭＰＵ13により、スピーカ50から電子音発生回路51によって効果音で報知されるとともに、普通図柄変動中表示器54によって発光表示される。
【０１５３】
また普通ゲーム中、さらなる発射球が普通始動領域９を通過すると、表示器駆動回路22は、最多で４球分迄、普通図柄始動記憶表示器55に発光表示する（図１および図３参照）。
【０１５４】
なお本実施の形態におけるC-G.ＲＯＭ36の格納内容を詳しくいえば、「特別権利」発生時に使用する大役キャラクタデータ、変動情報のキャラクタ用動画素材データ、特別権利行使情報の停止表示用素材データ、一般情報、変動情報および特別識別情報の各停止表示用素材データ、同変動表示素材データ、特別識別情報のいわゆるリーチ状態および変動表示のための制御手順、このリーチ状態に係る特別識別情報の停止表示用素材データ、行使回数表示用静止画素材データ、各種デモ用の静止画素材データ、同動画素材データ、「特別権利」の発生時における大役入賞球数用の静止画素材データ、各種メッセージ（通常のパチンコ遊技状態から「特別権利」の発生状態への移行決定表示、「特別権利」発生中表示、普通第１確率の下での特有特別識別情報の停止表示決定表示、「特別権利」の行使から、通常のパチンコ遊技状態移行直前表示、エラー表示など）用静止画素材データ、同動画素材データおよび色調に相当する符号データ、変動情報のための動画素材データなどが、遊技の進行に応じた各表示タイミングごとに格納されている。
【０１５５】
大役キャラクタデータは「特別権利」の発生時に使用されるもので、特定状態静止画素材データと大役静止画素材データとからなる。
【０１５６】
特定状態静止画素材データは「特別権利」発生の旨を表示し、また大役静止画素材データは、「特別権利」発生中に遊技変化をもたらせるための装飾的役割が主な目的になっている。
【０１５７】
変動情報のキャラクタ用動画素材データは、キャラクタＡ，Ｂの勝敗に係るものが２種類ずつ３回分、合計で８種類（＝２の３乗）格納され、これらはキャラクタＡ，Ｂの対戦開始から勝敗決定に至る動画を構成する。
【０１５８】
そしてキャラクタＡ，Ｂの対戦開始を示す変動情報の動画は「特別権利」の行使開始直後から特別表示器２に、特別権利行使情報とともに表示され、勝敗決定を示す変動情報の動画は「特別権利」の行使終了間際に特別表示器２に表示され、さらに次回の普通ゲームが普通第１確率で実施、いいかえれば変動条件が満足されたか否かに係る変動情報の総合的な表示は、「特別権利」の消滅間際に特別表示器２に表示される（図10ないし図34参照）。
【０１５９】
特別識別情報の変動表示用の動画素材データは特別ゲームの開始に伴って、特別識別情報を変動表示させるためのデータであり、特別識別情報の静止画素材データはいずれかの識別情報を停止表示させる際に使用される。
【０１６０】
またリーチ状態停止素材データは、特別ゲーム中、特別表示器２におけるいずれか２つの列、本実施の形態では左列および右列の各停止図柄データが一致し、いわゆるリーチ状態が形成された場合、その旨を報知表示するためのものである。
【０１６１】
その報知のために特別表示回路５は、C-G.ＲＯＭ36からリーチ状態停止素材データを読み出し、このデータによって形成される特別識別情報と、リーチしている特別表示器２のいずれかの列の特別識別情報とを入れ換えたり、リーチしている特別表示器２のいずれかの列の色彩または輝度を所定のタイミングで周期的に変更する。
【０１６２】
このようなリーチ状態の表示態様を以下、ブリンク表示ということにし、このブリンク表示により、特別表示回路５はリーチ状態を遊技者に報知表示する。
【０１６３】
また特別表示回路５はブリンク表示と同時に、遊技盤４に設けられた特別図柄変動中表示器（図１および図２参照）52を、表示器駆動回路22を介して点灯表示または点滅表示することにより、遊技者にリーチ状態を光で報知表示する。
【０１６４】
特別図柄変動中表示器52は、特別ゲームが開始されていることを表示するためのもので、通常の特別ゲームが進行している場合と、その進行中にリーチ状態が形成されている場合との間で、特別図柄変動中表示器52の発光態様を互いに異ならせることにより、異なる複数種類の状況を表示できる。
【０１６５】
なおリーチ状態形成中、図１に示す電子音発生回路51によってスピーカ50から効果音を発生させることにより、リーチ状態が形成されている旨を遊技者の聴覚と視覚とを通して、より明確に報知表示できる。
【０１６６】
また普通ゲームでは、上述したように普通識別情報が確率制御回路20および変動条件決定回路21のいずれかの無限カウンタに基づいて選択され、その普通識別情報は普通表示回路19によって普通表示器18に目視可能に停止表示される。
【０１６７】
なお変動条件決定回路21は、特別表示装置１に設けられている情報表示回路24に接続されており、初期状態および変動条件が満足されていない場合、その旨を表す変動条件信号が変動条件決定回路21から情報表示回路24に入力される。
【０１６８】
そして変動条件決定回路21は普通始動領域９，９への発射球の通過タイミングに応じ、いずれかの普通識別情報に相当するデータを選択し、そのデータを表示器駆動回路22を介して普通表示装置17に入力するのである。
【０１６９】
こののち普通表示装置17は変動条件決定回路21から入力されたデータに基づいていずれかの普通識別情報を表示する。なお確率制御回路20にあっても、普通識別情報の選択に至る手順は、変動条件決定回路21による手順と同様である。
【０１７０】
また特別始動口７には「普通権利」を発生させるため、図１の普通電動役物ソレノイド57を設けており、普通電動役物ソレノイド57が励磁されると、図示が省略されているリンク機構を介して、その電動チューリップが開放状態になる。
【０１７１】
他方、普通電動役物ソレノイド57が解磁されると、特別始動口７は閉止状態になって上記開放状態よりも入賞しにくくなる。また普通電動役物ソレノイド57にはソレノイド駆動回路58が接続され、上記励・解磁をＭＰＵ13によってインタフェイス回路12を介して制御している。
【０１７２】
つぎに上記構成に係るパチンコ機の制御手順を以下に説明する。まず電源回路40から電力が供給されると、ＭＰＵ13はリセット回路42および電源リセット回路41による初期化と同時に、ＭＰＵ13がパチンコ機３の各部に初期設定を施す。
【０１７３】
この初期設定により、ＭＰＵ13がC-G.ＲＯＭ36から初期設定時のデモ用画面素材データを読み出して画像ＲＡＭ37に書き込み、これに基づいて特別表示器２にデモ用画面を表示すると同時に、普通ゲーム中である旨を普通図柄変動中表示器54およびスピーカ50によって音および光で報知する。
【０１７４】
また上述した初期設定により、普通表示装置17は普通第２確率の下で普通ゲームを、また特別表示装置１は初期状態において特別第２確率の下で特別ゲームを開始するようになっており、ＭＰＵ13は両ゲームの開始を待機する。
【０１７５】
いいかえればＭＰＵ13は普通始動領域９および特別始動口７，８への通過（入賞）球の検出を待ち、発射球が普通始動領域９または特別始動口７，８を通過すると、普通始動スイッチ15または特別始動スイッチ10によって検出されたのち、その検出信号がインタフェイス回路12を介してＭＰＵ13に入力される。
【０１７６】
普通始動スイッチ15からの検出信号がＭＰＵ13に入力されると、普通ゲームが開始され、ここで普通権利発生情報が普通表示器18に停止表示された場合、「普通権利」が発生するので、ソレノイド駆動回路58は普通電動役物ソレノイド57を励磁させ、特別始動口７が開放状態になって「普通権利」を行使できる。
【０１７７】
他方、特別始動入賞球が特別始動スイッチ10、インタフェイス回路12を介してＭＰＵ13によって検出されると、特別表示回路５は特別ゲームを開始し、同時にＭＰＵ13が特別ゲーム中である旨を特別図柄変動中表示器52およびスピーカ50によって音および光で報知する。
【０１７８】
そして特別ゲームの開始に基づき、特別権利発生情報が大役第２確率に基づいて特別表示器２に停止表示されると、周知のように「特別権利」が発生するので、ソレノイド駆動回路26が第入賞口ソレノイド27を励磁させるため、可変入賞球装置25が開放状態になって「特別権利」の行使が可能になる。
【０１７９】
そして現「特別権利」が、ＭＰＵ13による大役カウンタからのカウント値「７」の取り込みと、変動条件決定回路21による変動情報カウンタからのカウント値「０」ないし「３９」のいずれかの取り込みとに基づいて発生している場合、情報表示回路24は、変動条件が満足された旨を示すために変動情報を特別権利行使情報とともに、特別表示器２に目視可能に表示する。
【０１８０】
これにより遊技者は、次回の「特別権利」が発生するまでの通常のパチンコ遊技状態の間、普通第１確率で普通ゲームが実施されるか否かを認識できる。
【０１８１】
また本実施の形態では変動情報によって表現される内容が情報表示回路24により、「特別権利」の発生時点、即座には表示されず、「特別権利」が発生し、その「特別権利」の行使に伴って表示、詳しくいえば「特別権利」の発生中、すべて同時に特別表示器２表示されるのではなく、「特別権利」の行使に伴って漸次少量ずつ表示されるので、変動条件が満足されているか否かは、「特別権利」の行使開始時点では即座に認識できない。
【０１８２】
そして遅くとも、「特別権利」の行使が終了した時点で、変動条件が満足されているか否かを認識でき、「特別権利」を消滅させるために大入賞口29が閉鎖され、通常のパチンコ遊技状態に復帰する。
【０１８３】
そして変動条件が満足されている場合には、普通ゲームが変動条件決定回路21の無限カウンタからのカウント値の取り込みに基づいて実施されるので、「普通権利」は普通第１確率（＝1/2)で発生する。
【０１８４】
一方、変動条件が満足されていない場合には、普通ゲームが確率制御回路20の無限カウンタからのカウント値の取り込みに基づいて実施されるので、「普通権利」は普通第２確率（＝1/20）で発生する。
【０１８５】
本実施の形態では変動条件が満足された場合に、「特別権利」および「普通権利」の両発生確率を同時に変動させる例を説明したが、これに限定されるものではなく、いずれか一方の「権利」の発生確率のみを変動させる構成にしてもよい。
【０１８６】
たとえば「特別権利」の発生確率のみを変動させる場合、上述した普通表示装置17の変動条件決定回路21を省略して、普通表示装置59を図37に示すように構成すれば、普通識別情報は確率制御回路20の無限カウンタにより、普通第２確率の下でのみ表示されるので、「普通権利」の発生確率が1/20で固定される。
【０１８７】
なお変動条件決定回路21による上述した変動情報カウンタからのカウント値の取り込みは、確率制御回路20によって実行される。
【０１８８】
また「普通権利」の発生確率のみを変動させる場合、上述したＭＰＵ13の大役第１カウンタの構成を省略することにより、特別識別情報はＭＰＵ13の大役第１カウンタにより、特別第２確率の下でのみ表示されるので、「特別権利」の発生確率が１/256で固定される。
【０１８９】
さらにまた「特別権利」および「普通権利」の発生確率を両方同時、または、片方のみを変動する代わりに、「特別権利」および「普通権利」の発生確率を一方ずつ変動するように構成してもよい。
【０１９０】
たとえば初期設定時に「特別権利」を特別第２確率の下で、また「普通権利」を普通第２確率の下で発生させ、変動条件が満足された場合、「特別権利」および「普通権利」の一方のみを変動させ、次回の変動条件が満足された場合に、「特別権利」および「普通権利」の一方のみを変動させ、満足されない場合には初期設定時の確率の下でゲームするのである。
【０１９１】
そのためＭＰＵ13は、変動条件が満足される度に「特別権利」用のフラグと、「普通権利」用のフラグとを交互にＯＮ−ＯＦＦさせ、同時に「特別権利」および「普通権利」の両方の発生確率を変動させないようにするのである。
【０１９２】
さらにまた変動条件が満足された場合に、「特別権利」用のフラグと、「普通権利」用のフラグとを交互ではなくて、任意にＯＮさせることによって、「特別権利」および「普通権利」の両方の発生確率を任意に変動させるように構成してもよい。
【０１９３】
その場合の組合せは、「特別権利」および「普通権利」の両方と、片方ずつとの合計３通りがある。そこで変動条件が満足された時点で、その３通りを選択するための抽選を実行すればよいのである。
【０１９４】
たとえば変動条件が満足されるか否かの決定時に、変動情報カウンタからのカウント値の取り込みが実行されるが、そのカウント値が、たとえば「０」ないし「９」であれば「特別権利」および「普通権利」の両方を、「１０」ないし「１９」であれば「特別権利」のみが、「２０」ないし「３９」であれば「普通権利」のみが、発生確率を変動させるのである。
【０１９５】
このような変動情報カウンタから取り込まれるカウント値と、「特別権利」および「普通権利」との対応の組合せはまったく任意であり、上述した組合せに限定されるものではない。
【０１９６】
上述したように変動条件が満足される度に、「特別権利」および「普通権利」の両方の発生確率が変動するのではなくて、一方あるいは両方が交互、または、任意に変動するので、「特別権利」および「普通権利」の両方の発生確率が変動する構成と比較して、より変化に富んだ遊技が提供され、遊技者の遊技意欲を向上させる。
【０１９７】
本実施の形態は、変動情報カウンタと大役カウンタとを備えて変動条件が満足されるか否かを決定し、変動条件が満足される場合、確率変動手段は確率を変動させるが、変動条件が満足されるか否かを表示するための変動情報は情報表示手段によって「特別権利」の消滅間際に表示するように構成した。つまり本実施の形態では、前記変動情報は「特別権利」の発生時点で即座に表示されることはない。
よって、「特別権利」の発生直後における「普通権利」および「特別権利」の一方または両方の「権利」の発生確率の下降に対する遊技意欲の減退を皆無にし、その発生確率上昇時に得られる賞品球数増大に対する期待感を、「特別権利」の行使とは別個に抱かせることになって、遊技意欲を向上させる。
【図面の簡単な説明】
【０１９８】
【図１】本発明に係るパチンコ機の一実施の形態を示すブロック図である。
【図２】同上パチンコ機の概略正面図である。
【図３】同上パチンコ機の遊技盤面の具体例を示す図である。
【図４】同上パチンコ機の特別表示器の左列に表示される特別識別情報の例を示す図である。
【図５】同じく中列に表示される特別識別情報の例を示す図である。
【図６】同じく右列に表示される特別識別情報の例を示す図である。
【図７】図４ないし図６に示す特別識別情報が実際に特別表示器に表示されている様子（その１）を示す図である。
【図８】同じく特別識別情報が実際に特別表示器に表示されている様子（その２）を示す図である。
【図９】同じく特別識別情報が実際に特別表示器に表示されている様子（その３）を示す図である。
【図１０】同上特別表示器に表示される変動情報の例を示す図である。
【図１１】図10と異なる状態で特別表示器に表示される変動情報の例を示す図である。
【図１２】図11と異なる状態で特別表示器に表示される変動情報の例を示す図である。
【図１３】図12と異なる状態で特別表示器に表示される変動情報の例を示す図である。
【図１４】図13と異なる状態で特別表示器に表示される変動情報の例を示す図である。
【図１５】図14と異なる状態で特別表示器に表示される変動情報の例を示す図である。
【図１６】図15と異なる状態で特別表示器に表示される変動情報の例を示す図である。
【図１７】図16と異なる状態で特別表示器に表示される変動情報の例を示す図である。
【図１８】図17と異なる状態で特別表示器に表示される変動情報の例を示す図である。
【図１９】図18と異なる状態で特別表示器に表示される変動情報の例を示す図である。
【図２０】図19と異なる状態で特別表示器に表示される変動情報の例を示す図である。
【図２１】図20と異なる状態で特別表示器に表示される変動情報の例を示す図である。
【図２２】図21と異なる状態で特別表示器に表示される変動情報の例を示す図である。
【図２３】図22と異なる状態で特別表示器に表示される変動情報の例を示す図である。
【図２４】図23と異なる状態で特別表示器に表示される変動情報の例を示す図である。
【図２５】図24と異なる状態で特別表示器に表示される変動情報の例を示す図である。
【図２６】図25と異なる状態で特別表示器に表示される変動情報の例を示す図である。
【図２７】図26と異なる状態で特別表示器に表示される変動情報の例を示す図である。
【図２８】図27と異なる状態で特別表示器に表示される変動情報の例を示す図である。
【図２９】図28と異なる状態で特別表示器に表示される変動情報の例を示す図である。
【図３０】図29と異なる状態で特別表示器に表示される変動情報の例を示す図である。
【図３１】図30と異なる状態で特別表示器に表示される変動情報の例を示す図である。
【図３２】図31と異なる状態で特別表示器に表示される変動情報の例を示す図である。
【図３３】図32と異なる状態で特別表示器に表示される変動情報の例を示す図である。
【図３４】図33と異なる状態で特別表示器に表示される変動情報の例を示す図である。
【図３５】図34と異なる状態で特別表示器に表示される変動情報の例を示す図である。
【図３６】図35と異なる状態で特別表示器に表示される変動情報の例を示す図である。
【図３７】図１に示す普通表示装置の他の実施の形態を示すブロック図である。
【符号の説明】
【０１９９】
１ 特別表示装置
３ パチンコ機
４ 遊技盤
７，８ 特別始動口
９ 普通始動領域
17 普通制御装置
20 確率制御回路
21 変動条件決定回路
24 情報表示回路
25 可変入賞球装置
【図１】
0004699979.tif 000002
【図２】
0004699979.tif 000003
【図３】
0004699979.tif 000004
【図４】
0004699979.tif 000005
【図５】
0004699979.tif 000006
【図６】
0004699979.tif 000007
【図３７】
0004699979.tif 000008
【図７】
0004699979.tif 000009
【図８】
0004699979.tif 000010
【図９】
0004699979.tif 000011
【図１０】
0004699979.tif 000012
【図１１】
0004699979.tif 000013
【図１２】
0004699979.tif 000014
【図１３】
0004699979.tif 000015
【図１４】
0004699979.tif 000016
【図１５】
0004699979.tif 000017
【図１６】
0004699979.tif 000018
【図１７】
0004699979.tif 000019
【図１８】
0004699979.tif 000020
【図１９】
0004699979.tif 000021
【図２０】
0004699979.tif 000022
【図２１】
0004699979.tif 000023
【図２２】
0004699979.tif 000024
【図２３】
0004699979.tif 000025
【図２４】
0004699979.tif 000026
【図２５】
0004699979.tif 000027
【図２６】
0004699979.tif 000028
【図２７】
0004699979.tif 000029
【図２８】
0004699979.tif 000030
【図２９】
0004699979.tif 000031
【図３０】
0004699979.tif 000032
【図３１】
0004699979.tif 000033
【図３２】
0004699979.tif 000034
【図３３】
0004699979.tif 000035
【図３４】
0004699979.tif 000036
【図３５】
0004699979.tif 000037
【図３６】
0004699979.tif 000038